(57)【特許請求の範囲】
【請求項１】
照明デバイスの製造方法であって、
・第１の担体（１）を提供するステップと、
・第２の担体（２）を第１の担体（１）に固定するステップと、
・前記第２の担体（２）を第１の担体（１）に固定した後に、前記第２の担体（２）を少なくとも部分的に、少なくとも２つの部分（２１、・・・、２８）に分けるステップと、
ただし、前記第２の担体（２）の分断前に、第１の構造化された金属層（４）を、前記第２の担体（２）の、前記第１の担体（１）と反対側の表面に被着し、
前記第１の構造化された金属層（４）の領域は、少なくとも１つの溝（５）によって相互に分断されており、当該溝（５）に沿って、前記第２の担体（２）を前記少なくとも２つの部分（２１、・・・、２８）に分断し、
接続ワイヤー（８）によって、前記第１の構造化された金属層（４）の前記領域の少なくとも２つは、相互に導電性に接続し、
・少なくとも２つの発光ダイオードチップ（３）を、前記第２の担体（２）の、前記第１の担体（１）と反対の側の面に固定するステップと
を有する
ことを特徴とする、照明デバイスの製造方法。
【請求項２】
少なくとも２つの前記発光ダイオードチップ（３）を、前記第２の担体（２）の異なる部分（２１、・・・、２８）上に被着する、請求項１記載の方法。
【請求項３】
前記第１の担体（１）を導電性に形成し、前記第２の担体（２）を電気的に絶縁性に形成する、請求項１または２記載の方法。
【請求項４】
前記第１の担体（１）は金属製であり、前記第２の担体（２）はセラミック製である、請求項１から３までのいずれか１項記載の方法。
【請求項５】
前記第１の担体（１）は、ヒートシンクとして構成されており、かつ、銅を含む、請求項４記載の方法。
【請求項６】
前記第２の担体（２）を前記第１の担体（１）に固定する前に、前記第１の担体（１）と前記第２の担体（２）との間に、構造化された接続層（６）を配置する、ここで前記接続層（６）は、製造誤差の範囲内で、前記第１の構造化された金属層（４）と合同である、請求項１から５までのいずれか１項記載の方法。
【請求項７】
前記第２の担体（２）を前記第１の担体（１）に固定する前に、第２の構造化された金属層（７）を、前記第２の担体（２）の、前記第１の担体（１）側の表面上に被着する、ここで前記第２の構造化された金属層（７）は、製造誤差の範囲内で、前記第１の構造化された金属層（４）と合同である、請求項１から６までのいずれか１項記載の方法。
【請求項８】
前記少なくとも１つの溝の幅（ｄ）は最大で１５０μｍである、請求項１から７までのいずれか１項記載の方法。
【請求項９】
・第１の担体（１）と、
・前記第１の担体に固定されている第２の担体（２）と、
・前記第２の担体（２）の、前記第１の担体（１）とは反対側に固定されている、少なくとも２つの発光ダイオードチップ（３）とを有しており、
・前記第２の担体（２）は、少なくとも２つの部分（２１、・・・、２８）を含んでおり、前記少なくとも２つの部分は、少なくとも１つの分断領域（５１）によって相互に分断されており、前記分断領域（５１）は部分的にまたは完全に、前記第２の担体（２）を通って延在しており、
・前記第２の担体（２）の前記少なくとも２つの部分（２１、・・・、２８）は、最大で１２５μｍの間隔（Ａ１）で相互に分断されており、
前記第２の担体（２）の各部分（２１、・・・、２８）は、前記第１の担体（１）と反対側の表面で、第１の構造化された金属層（４）の領域を有しており、
ここで、各領域は、前記第２の担体（２）の各部分（２１、・・・、２８）に一義的に割り当てられており、前記第１の構造化された金属層（４）の前記領域の少なくとも２つは、接続ワイヤー（８）によって相互に導電性に接続されている
ことを特徴とする、照明デバイス。
【請求項１０】
前記２つの部分（２１、・・・、２８）は、向かい合っている側面（２ａ）でそれぞれ、分断プロセスの痕跡を有している、請求項９記載の照明デバイス。
【請求項１１】
前記第１の構造化された金属層（４）の複数の領域の少なくとも１つの領域の上に、２つの発光ダイオードチップ（３）が被着されており、前記２つの発光ダイオードチップ（３）は、前記領域によって、直列に接続されている、請求項９または１０記載の照明デバイス。
【請求項１２】
前記第２の担体（２）は、前記第１の担体（１）の縁部および／またはコーナーに配置されており、
前記第２の担体（２）上に配置されている全ての発光ダイオードチップ（３）を電気的に接続するための電気的な接続手段（１０）が、部分的に、前記第２の担体（２）に割り当てられている前記第１の担体（１）の表面に沿って、当該表面上に延在している、請求項９から１１までのいずれか１項記載の照明デバイス。
【請求項１３】
・請求項９から１２までのいずれか１項記載の照明デバイス（１００）を少なくとも２つ有しており、
・前記照明デバイスの前記第２の担体（２）が相互に隣接して配置され、前記第２の担体（２）上に配置されている前記発光ダイオードチップ（１２）は、共通の照明面（９）を形成する、照明デバイスの装置。
【請求項１４】
２つの異なる照明デバイス（１００）の前記第２の担体（２）は、最大で１２５μｍの間隔（Ａ２）でもって相互に分断されている、請求項１３記載の照明デバイスの装置。
【発明の詳細な説明】
【技術分野】
【０００１】
照明デバイスの製造方法並びに照明デバイスを提示する。
【０００２】
解決されるべき課題は、特に劣化に強い照明デバイスの製造方法を提示することである。殊に、この方法によって製造される照明デバイスは得に、熱機械交番応力に対して頑強である。
【０００３】
この方法の少なくとも１つの実施形態では、この方法は、第１の担体を提供するステップを有している。この第１の担体は、製造されるべき照明デバイスのコンポーネントを機械的に担うように構成されている。さらに、第１の担体は、殊に、熱伝導性が高い、という特徴を有している。例えばここで第１の担体は、導電性に形成可能である。殊に第１の担体は、金属、例えば銅によって形成されている金属製の担体である。第１の担体は、照明デバイスのコンポーネントによって、動作中に形成された熱を特に良好に受容し、外部へ排出する。すなわち、第１の担体は殊に、照明デバイスのヒートシンクを形成する。
【０００４】
本発明の少なくとも１つの実施形態では、第２の担体が第１の担体に固定されている。例えば、第２の担体は、第１の担体の主表面に固定されている。第２の担体の固定は、例えば、接続手段によって行われる。この接続手段は、第１の担体と第２の担体の間の機械的な接続の他に、第１の担体と第２の担体の間の熱接続も形成する。すなわち、この接続手段は、高い熱伝導性を特徴としている。
【０００５】
第２の担体は、照明デバイスのコンポーネントの一部を、第１の担体とは反対側の面で受容し、機械的に担うように構成されている担体である。第２の担体はここで、殊に、第１の担体よりも小さい底面を有している。第２の担体は同様に、高い熱伝導性を特徴にしている。ここでこの第２の担体は殊に電気的に絶縁性に形成される。例えば、第２の担体は、ドーピングされていない半導体材料またはセラミック材料によって形成される。すなわち、第２の担体は殊に、セラミック担体である。例えば第２の担体は、ＡｌＮによって形成されている。これは、約１８０Ｗ／ｍＫの熱伝導値を特徴とする。
【０００６】
この方法の少なくとも１つの実施形態では、第２の担体は、第２の担体を第１の担体に固定した後に、少なくとも２つの部分に、少なくとも部分的に分けられる。第２の担体は次のように分断される。すなわち、第２の担体の材料によって、この分断によって形成された第２の担体の部分の間で接続が仲介されないように、分断される。この分断によって形成された第２の担体のこれらの部分は機械的に例えば、第１の担体に対するその接続によってのみ相互に、および、第１の担体に対して、固定位置に保たれる。これは第２の担体の分断によって変わらない。すなわち、完全な分断が生じ得る。
【０００７】
さらに、第２の担体の部分的な分断を行うことが可能である。この場合には、溝が第２の担体内にもたらされる。この溝は、第２の担体の部分の間の目標分裂箇所として用いられる。照明デバイスの動作中、第１の担体は第２の担体よりも熱的に強く伸長し、目標分裂箇所に従って、第２の担体の完全な分断が生じる。第１の担体と反対側の面からの、第２の担体内への溝の侵入深さは、ここで、第２の担体の平均厚さの少なくとも５％、殊に、少なくとも１０％である。このようにして、動作中に、目標分裂箇所に沿った完全な分断が生じることが保証される。
【０００８】
第２の担体の部分間の分断線はここで、第１の担体の、第２の担体の方を向いている上面に対して横切る方向で、殊に垂直に延在する。すなわち、第２の担体のこれらの部分の底面は、第２の担体の底面よりも小さい。
【０００９】
この方法の少なくとも１つの実施形態では、少なくとも２つの発光ダイオードチップが、第２の担体の、第１の担体と反対側の面に固定されている。発光ダイオードチップは、ここで殊に機械的に固定して、第２の担体と接続可能であり、これに良好な熱伝導性で接続される。
【００１０】
発光ダイオードチップは例えば、動作中に電磁ビーム、殊に光を形成する発光ダイオードチップまたはレーザダイオードチップである。このようにして、照明デバイスから、動作中に、同様に、電磁ビーム、殊に光が送出される。殊に、発光ダイオードチップは、白色および／またはカラーの光を放出することが可能である。発光ダイオードチップが、白色光を放出するように構成されている場合、これは、例えば、電磁ビームの下方変換のために構成されているルミネセンス変換材料を有している。
【００１１】
照明デバイスを製造する方法の少なくとも１つの実施形態では、この方法は以下のステップを有している。
・第１の担体を提供する
・第１の担体に第２の担体を固定する
・第１の担体を第２の担体に固定した後に、第２の担体を、少なくとも２つの部分に、少なくとも部分的に分断する
・第２の担体の、第１の担体と反対側の面に、少なくとも２つの発光ダイオードチップを固定する
この方法はここで殊に、個々のステップが記載された順番で実施可能である。
【００１２】
この方法の少なくとも１つの実施形態では、発光ダイオードチップの少なくとも２つが、第２の担体の異なる部分上に被着される。すなわち、第２の担体の第１の部分は、例えば照明デバイスの第１の発光ダイオードチップを担い、この担体の第２の部分は、照明デバイスの第２の発光ダイオードチップを担う。これら２つの発光ダイオードチップはこの場合に、第２の担体によって、機械的にも電気的にも熱的にも相互に接続されていない。第２の担体の異なる部分上での２つの発光ダイオードチップの間の機械的な接続は、第１の担体によってのみまたは主に第１の担体によって仲介される。
【００１３】
ここに記載されている方法の基になっているのは、殊に以下の考慮である：
発光ダイオードチップの良好な熱的な結合は、発光ダイオードチップ内で、電気的な損失出力によって生じる熱を排出するのに有利である。例えば、発光ダイオードチップの輝度は、温度の関数である。温度が上昇すると、発光ダイオードチップの輝度と効率が低下する。さらに、低い動作温度は有利には、発光ダイオードチップの寿命に有利に作用する。なぜなら、主な劣化経過は温度によって促進されるからである。従って、良好な熱管理は、高い効率の実現に寄与し、寿命をより長くする。
【００１４】
発光ダイオードチップの取り付け面の電気的な接触接続の手法は、さらなる重要な観点である。発光ダイオードチップは、自身の取り付け面でヒートシンク上に取り付けられる。ヒートシンクは、自身の側で同様に、ハウジング内に取り付けられる。発光ダイオードチップ背面は、電気的なポテンシャルを有しており、ハウジングはポテンシャルを有していないべきである。従って発明者は、発光ダイオードチップの取り付け面とハウジングとの間で、電気的な絶縁面が有利であることを認識している。
【００１５】
ヒートシンクとしておよびハウジング材料として、殊に金属性の材料が使用される。これは、比較的低いコストと結び付いて、良好な加工性と、良好な機械的特性と、良好な熱伝導性を特徴とする。主な金属製材料の欠点は、現行の半導体材料と比べて高いその熱膨張係数と、この関連においては、その導電性である。
【００１６】
ハウジングが金属製の材料から形成されていると仮定すると、熱経路におけるいずれかの位置に、発光ダイオードチップの半導体材料の低い熱膨張係数から、金属製のハウジング材料の高い膨張係数への移行部が実現されなければならない。材料の間の高い熱伝導性接続は、殊に、はんだ付けまたは焼結方法によって実現される。このような接続は、機械的に極めて強固である。従って、接合面で膨張係数に差がある場合には、力が形成される。この力は同様に、接合面での結合またはより弱い接合相手の損傷または破壊を生じさせ得る。整合していない膨張係数を有する接合相手からの接続の頑強性は、接合面の大きさによってスケーリングする。より大きい機械的な伸長を有する接合面は、より小さい接合面よりも、扱いが困難である。従って、半導体材料の低い膨張係数（例えば：ゲルマニウム  ５．８ｐｐｍ／Ｋ）から、機械的な材料の高い膨張係数（例えば：アルミニウム  ２３ｐｐｍ／Ｋ）への、熱経路における移行部を、構造サイズが小さい領域内に実現するのが有利である。
【００１７】
別の問題は、多数の個別チップの平面状の取り付け時に生じる。個々の発光ダイオードチップが金属製の担体上に取り付けられる場合、全ての発光ダイオードチップの取り付け面が共通の電気的なポテンシャルを有する。この構造は、並列回路に相応する。個々の発光ダイオードチップが、Ｕ／Ｉ特性曲線において差を有している限り、この回路設計は、低い順バイアスを伴う、発光ダイオードチップの過電流を生じさせる。この発光ダイオードチップ配列のさらなる欠点は、電流と電圧との間の比である。並列回路は、基本的に、順バイアスが低い場合に高い動作電流を有する。これは、より高い駆動コストおよび／またはより低い駆動効率につながり得る。並列回路および直列回路の実現の可能性は、ここで、利点である。
【００１８】
すなわち、発光ダイオードチップが、電気的に絶縁性であるが、熱伝導性の別の層上に被着されている接続面上に取り付けられる構造が有利であることが判明している。この電気的に絶縁性の層は、この場合に、半導体材料の低い熱膨張係数と、ヒートシンクおよびハウジングの高い熱膨張係数との間を仲介することができる。
【００１９】
これまでに、種々のソリューションが知られている：
Ａ）金属コアプレート（ＭＣＢ）上の発光ダイオードチップ。このアプローチは、簡単なソリューションである。ＭＣＢの背面は、電気的に絶縁されている。このＭＣＢは、主に、アルミニウム板をベースにしている。これは比較的容易に取り付けられる。接続面は構造化可能である。従って、ある程度の制限によって、種々の接続バリエーションが形成される。絶縁層はある程度の柔軟性を有している。これによって、半導体とベースプレートのアルミニウムの間の異なる膨張係数が、多くの用途に対して、充分に補償される。このソリューションの弱点は、絶縁層の制限された熱伝導性である（ｄ＝３８μｍの厚さの場合に３Ｗ／ｍＫ）。
Ｂ）ＤＣＢ（銅直接接合法）。ＤＣＢプロセスでは、薄い銅板が圧力および温度下で、セラミックプレート（Ａｌ２０３、ＡｌＮ）と接合される。比較的薄い銅層およびセラミック層によって、柔軟性のある変形によって、応力が受容される。これによって、半導体とハウジングとの間の膨張係数の差が、部分的に補償される。このバリエーションの欠点は、接続面の構造化が、フォト技術によって、エッチングに関連して実現される、ということである。従って、低コストで、特定の最小寸法を下回るのは困難である。
Ｃ）セラミック基板。この構造では、セラミックが片側または両側で金属化される。金属化されたセラミック（熱膨張係数が低い）上の発光ダイオードチップ（膨張係数が低い）の構造は、問題なく可能である。問題は、金属製ハウジング内に、セラミックモジュールを取り付ける際に始まる。セラミックモジュールが例えば、ハウジング内にはんだ付けされる場合、良好な熱排出が実現される。しかし半田接続部の高い機械的な剛性によって、力が形成される。これは、接続部またはセラミック基板を破壊し得る。
【００２０】
第２の担体が、第１の担体への固定後に、少なくとも２つの部分に、少なくとも部分的に分断される照明デバイスの製造は、この分断が無い場合よりも、技術的により困難である。しかし、この分断が行われない照明デバイスの実質的な欠点は、熱的な交番応力時の照明デバイスの低い耐久性である。これは、その上に第２の担体が被着されている、第１の担体の表面に対して平行な、ラテラル方向における第２の担体の熱膨張によるものであり、かつ第１の担体と第２の担体との間での熱膨張係数の大きい差によるものである。
【００２１】
本願の方法では、第２の担体が、第１の担体上への固定後に、より小さいセグメント、すなわち第２の担体の複数の部分に分けられる。第２の担体のこれらの部分の間隔は、材料除去によってのみ定められる。これは、分断によって形成される。すなわち、第２の担体のこれらの部分は、特に短い間隔を相互で有する。これは、第１の担体上への第２の担体の部分の個々の取り付けによっては実現不可能である。この小さい間隔の領域において、並びに、第２の担体の部分の小さいラテラル方向の伸長によって、第２の担体と第１の担体の間の熱膨張係数の差を、生じる力が、弾性の変形によって受容されることによって制することができる。しかも、破壊に対する材料特有の境界値を超えることはない。第２の担体の少なくとも部分的な分断のための適切な方法としては、例えば、以下の方法のうちの１つまたは以下の方法のうちの複数の方法の組み合わせが使用可能である：機械的なソーイング、分断研磨、レーザ分断方法、イオンエッチング方法、化学的な分断方法。
【００２２】
第１の担体と第２の担体との間、並びに、第２の担体の部分と発光ダイオードチップの間の接続は、焼結方法および／またははんだ付け方法によって形成される。これによって、より良好な熱伝導性およびより高い剛性を有する接続が実現される。第２の担体は殊に、電気的に絶縁性に構成可能である。従ってこれは、電位差の無いヒートシンクを形成する。これには、殊にセラミック材料、ＡｌＮまたはＡｌ２Ｏ３が適している。第１の担体は殊に、金属製に構成されており、このようにして容易に、例えば、照明デバイス用のハウジング内に組み込まれる。
【００２３】
この方法の少なくとも１つの実施形態では、第２の担体の分断前に、第１の構造化された金属層が、第２の担体の、第１の担体とは反対側の表面上に被着される。ここで、第１の構造化された金属層の領域は、少なくとも１つの溝によって相互に分断されており、これに沿って、少なくとも２つの部分へと第２の担体が分断される。すなわち、第２の担体の、第１の担体と反対の側の上面での第１の構造化された金属層によって、それに従って第２の担体が複数の部分に分断されるパターンが、第１の構造化された金属層の領域の間の溝によって設けられる。この金属層の構造化によってさらに、照明デバイスの発光ダイオードチップの間の直列接続および／または並列接続が実現可能である。これは、構造化された金属層が、導電性に、発光ダイオードチップと接続される場合である。すなわち、発光ダイオードチップは、殊に導電性に、第１の構造化された金属層に接続される。第１の担体と第２の担体と発光ダイオードチップの間のはんだ接続および／または焼結接続は、ここで、その軟化温度に関して次のように選択される。すなわち、それぞれ、最初に形成された接続が、最も高い軟化点を有しており、プロセス連鎖において最後に形成された接続が最も低い軟化点を有するように選択される。このようにして、後続の接続によって、既に行われた接続が損傷を受けない、または全く分解されないことが保証される。
【００２４】
この方法の少なくとも１つの接続形成では、第２の担体を第１の担体に固定する前に、第１の担体と第２の担体の間に、構造化された接続層が配置される。この接続層は、製造誤差の範囲内で、第１の構造化された金属層と少なくとも部分的に合同である。
【００２５】
構造化された接続層は、例えば硬ろう層である。この構造化された接続層は、次のように被着される。すなわち、これが同様に、構造化された接続層の領域の間に溝を有しているように被着される。この溝は、第２の担体の対向する上面の溝、すなわち第１の構造化された金属層の溝と、合同である。このようにして、第１の構造化された金属層の溝に沿った自身の複数の部分への第２の担体の分断時に、接続層の切断が生じる必要がない。むしろ、分断後に、既に分断前に存在する接続層の各領域が、一義的に、第２の担体の部分に割り当てられ、これによって機械的に固定される。すなわち、第２の担体の複数の部分の機械的な分断は、第１の担体と第２の担体の間の接続層上にも延在する。
【００２６】
択一的に、第１の担体と第２の担体の間の接続層を完全に平らに、第１の担体側の、第２の担体の下面に構成することが可能である。この場合には、第２の担体を複数の部分に分断する際に、接続層も切断される。しかしこの場合には、場合によっては、第２の担体の分断後に、分断方法を変えることが必要である。例えば、第２の担体の分断後に、セラミック材料の分断に適しているのこ刃を、殊に、機械的な接続層の分断に適しているのこ刃に交換することが必要である。これによって、プロセス技術上のコストが増える。
【００２７】
この方法の少なくとも１つの実施形態では、第２の担体を第１の担体に固定する前に、第２の構造化された金属層が、第２の担体の、第１の担体の方を向いている表面上に被着される。これは製造誤差の範囲において、第１の構造的な金属層と合同である。第２の構造化された金属層は殊に、第２の担体と接続層との間の接続の仲介のために用いられる。第２の構造化された金属層は次のように、第２の担体上に被着される。すなわちこれが、第２の担体を複数の部分に分断する時に、切断されず、第２の構造化された金属層の溝によって分割が行われるように被着される。この溝は、第１の構造化された金属層の溝と合同である。
【００２８】
第１の構造化された金属層と第２の構造化された金属層はここで同様に構成され得る。すなわちこれら２つの金属層は同じ材料によって形成され、同じ層構造を有しており、同じパターンで、第２の担体の両面に被着されている。例えばこれらは、積層方法、例えばスパッタリング、蒸着、無電流析出および／または電気めっきによって、第２の担体の上面および下面に被着される。例えば、構造化された金属層は、例えば金、銅、ニッケルおよび／またはクロムによって形成可能である。
【００２９】
この方法の少なくとも１つの実施形態では、第１の構造化された金属層の少なくとも１つの溝の幅は、最大で１５０μｍである。第２の担体の分断によって形成される部分の間の間隔は、この場合に、それらの間の溝の幅によって決まる。すなわちこれは最大で１５０μｍである。殊に、これらの部分の間の間隔はこの場合に、より僅かである。なぜなら、分断に対しては有利には、より薄い領域が選択されるからである。ここでは材料除去が行われ、分断時に、構造化された金属層を損傷させることはない。
【００３０】
さらに、照明デバイスが提示される。この照明デバイスは殊に、本願に記載された方法によって製造可能である。すなわち、方法に対して開示された全特徴は、この照明デバイスに対しても開示されている、およびその逆である。
【００３１】
照明デバイスの少なくとも１つの実施形態では、照明デバイスは第１の担体と、第１の担体に固定されている第２の担体と、少なくとも２つの発光ダイオードチップを含んでいる。少なくとも２つの発光ダイオードチップは、第２の担体の、第１の担体と反対の側に固定されている。これらの担体ならびに発光ダイオードチップは、ここで殊に上述したように構成されている。
【００３２】
第２の担体は少なくとも２つの部分を含んでいる。これらは、少なくとも１つの分断領域によって相互に分断されている。この分断領域は部分的または完全に、第２の担体を通って延在している。
【００３３】
すなわち、第２の担体のこれら２つの部分は、例えば、第２の担体の材料によって、機械的に相互に接続されず、例えば、第１の担体のみによって、第２の担体のこれらの部分の間の機械的な接続が形成される。
【００３４】
さらに、上方に記載されているように、２つの部分は、目標分裂箇所によって相互に分断することが可能である。照明デバイスの動作時には、２つの部分の完全な分断が生じる。これによって、熱的なテンションが形成される。
【００３５】
第２の担体の少なくとも２つの部分はここで、最大で１２５μｍの間隔で、相互に分断されている。すなわち、担体の２つの部分は特に相互に近くに配置されており、これらの部分の間の間隔は僅かであり、これは第１の担体上の第２の担体の部分の分断された被着によって、ほとんど実現可能でない、または、高いアライメントコストによってしか実現されない。
【００３６】
照明デバイスの少なくとも１つの実施形態では、２つの部分は相互に向かい合っている側面で、それぞれ、分断プロセスの痕跡を有している。これらの側面は、第２の担体の複数の部分の外面の部分であり、これは、ラテラル方向に対して傾斜してまたは垂直に延在している。これらは殊に、上述した分断方法によって形成され、例えばこの分断プロセスの切断溝のような名残を有している。分断プロセスの痕跡は殊に、材料除去の痕跡であり、例えば分裂エッジではない。
【００３７】
照明デバイスの少なくとも１つの実施形態では、第２の担体の各部分は、第１の担体とは反対の側の表面で、第１の構造化された金属層の領域を有している。ここで各領域は、第１の担体の部分に一義的に割り当てられており、第１の構造化された金属層の領域の少なくとも２つが、接続ワイヤーによって、相互に導電性に接続されている。換言すれば、構造化された金属層は、第２の担体のこれらの部分にわたって延在しているのではなく、第２の担体の各部分は、構造化された金属層の領域を含んでいる。これはそれに一義的に割り当てられている。電気的な接続部材によって、例えば接続ワイヤーによって、構造化された金属層の少なくとも２つの領域を接続することによって、すなわち第２の担体の種々の部分上の領域を接続することによって、照明デバイスの発光ダイオードの特に柔軟な接続が行われる。
【００３８】
照明デバイスの少なくとも１つの実施形態では、第１の構造化された金属層の少なくとも１つの領域上に、２つの発光ダイオードチップが被着される。これらは、第１の構造化された金属層の領域によって、相互に直列に接続されている。ここで、第１の発光ダイオードチップは、例えば、自身のｐ側で、この領域上に被着されており、他方の発光ダイオードチップは、自身のｎ側で、この領域上に被着されている。すなわちこの場合には、第２の担体の１つの部分は、少なくとも２つの発光ダイオードチップを担っている。
【００３９】
照明デバイスの少なくとも１つの実施形態では、第２の担体は、第１の担体の縁部および／またはコーナーに配置されている。ここで、第２の担体上に配置されている全ての発光ダイオードチップの電気的な接続のための電気的な接続手段は、部分的に、第１の担体の表面に沿っておよびこの表面上に延在している。これは第２の担体に割り当てられている。
【００４０】
ここで、第２の担体の少なくとも１つの側面は例えば、第１の担体の少なくとも１つの側面と同一平面を成している。殊に、第２の担体はこの場合には、第１の担体の中央領域に配置されているのではなく、その縁部に配置されており、従って、第２の担体の方を向いている、第１の担体の表面の相対的に大きい部分は、機械的な部材として、接続手段を担うために用いられる。この接続手段を介して、照明デバイスの発光ダイオードチップが電気的に接続されている。この接続手段は、例えば、柔軟な導体プレートおよび／またはプリント回路基板である。これは、第１の担体の上述された表面に固定されている。
【００４１】
さらに照明デバイスの装置を提示する。照明デバイスの装置は、少なくとも２つの、本願に記載された照明デバイスを含む。ここで、第２の担体は、第１の担体の縁部またはコーナーに配置されている。照明デバイスの第２の担体は、この場合に、相互に隣接して、次のように配置されている。すなわち、第２の担体上に配置されている発光ダイオードチップが共通の照明面を形成するように配置されている。殊に、裸眼の観察者は、発光ダイオードチップが異なって、第１の担体と第２の担体に割り当てられていることにほとんど気が付かない。むしろ、少なくとも２つの照明デバイスの発光ダイオードチップはこの場合には、例えば、規則的な配置として、行と列で現れる。
【００４２】
これは殊に、２つの異なる照明デバイスの第２の担体が、相互に最大で１２５μｍの間隔を有している場合である。すなわち、照明デバイスの装置の２つの異なる照明デバイスの発光ダイオードチップの間の間隔は、この場合には、縁部の領域またはコーナーの領域において、照明デバイス内の発光ダイオードチップの間隔とほぼ同じである、または同じである。このような正確なアライメントは殊に次のことによって可能である。すなわち、照明デバイスの第１の担体によって、比較的大きいコンポーネントが相互に間隔をあけて配置されることによって可能である。これは、分断によって形成された、第２の担体の部分よりも、格段に大きいラテラル方向の伸長を有している。
【００４３】
以下では、ここに記載した方法並びにここに記載した照明デバイスを、実施例およびこれに属する図面に基づいてより詳細に説明する。図１は、ここに記載した照明デバイスを、概略的な斜視図で示している。
【図面の簡単な説明】
【００４４】
【図１】図１の概略的な斜視図に基づいて、本願に記載されている照明デバイスの実施例を詳細に説明する
【図２】図２Ａ〜２Ｆの概略的な図面に基づいて、本願に記載されている方法の実施例を詳細に説明する
【図３】図３の概略的な斜視図に基づいて、本願に記載されている照明デバイスの装置を詳細に説明する
【実施例】
【００４５】
同じ、同様のまたは同じ機能を有する部材には、図面において、同じ参照番号が付与されている。図面および図面に示されている部材相互の大きさの比は、縮尺通りではない。むしろ、個々の部材は、より良好に示すため、および／または、より良好な理解のために過度に大きく示されている。
【００４６】
図１は、本願に記載されている照明デバイスを、概略的な斜視図で示している。
【００４７】
照明デバイスは、担体１を含んでいる。ここで、第１の担体１は、金属製の担体であり、殊に、銅から成るヒートシンクである。金属製の担体１は開口部１１を有しており、この開口部を介して、担体１は機械的に、例えばアライメントピンとねじを介して、照明デバイスの特定箇所に固定されている。
【００４８】
第１の担体１の上面には、第２の担体２が配置されている。これは、複数の部分２１〜２８に分断されている。
【００４９】
第１の担体と第２の担体２との間には、構造化された接続層６が配置されている。ここで、構造化された接続層６の各領域は、第２の担体の各部分に一義的に割り当てられている。
【００５０】
第２の担体２の、第１の担体と反対の側の上面には、ここで、９個の発光ダイオードチップが、第２の担体２の部分上に被着されており、接続ワイヤー８によって、電気的に相互に接続されている。
【００５１】
各発光ダイオードチップ３は、自身の、第２の担体と反対側の上面で、変換器１２から成る層を含んでいる。この変換器は、電磁ビームを下方変換するために設けられており、例えば、白色光を形成するために用いられている。
【００５２】
第２の担体２はここで、電気的に絶縁性であり、セラミックによって形成されている。これは例えばＡｌＮまたはＡｌ２０３から成る。
【００５３】
第２の担体２の部分２１〜２８は、分断領域５１によって相互に分けられている。この分断領域５１には、第２の担体２の材料は設けられていない。向かい合っている、第２の担体２の部分の側面２ａは（ここでは図２Ｅも参照されたい）、分断プロセスの痕跡を有している。これによって、第２の担体の部分２１〜２８が形成されている。
【００５４】
第２の担体２はここで、第１の担体１のコーナーに、次のように配置されている。すなわち、第２の担体の外面にある第２の担体の２つの側面が製造誤差の範囲内で、第１の担体の外面にある２つの側面と同一平面を成すように配置されている。
【００５５】
電気的な接続手段１０、ここでは、プリント回路基板は、柔軟な回路基板、例えばフレックスボード上に被着されており、第１の担体１の上面に沿って延在している。電気的な接続手段１０によって、照明デバイスの全ての発光ダイオードチップ３が電気的に接続されている。
【００５６】
ここに記載されている照明デバイスは、例えば、少なくとも３０Ｖ、例えば３５Ｖの順バイアスを有している。さらに、ここに記載されている照明デバイス１００は例えば、少なくとも０．８Ａ、例えば１Ａの順方向電流を有している。光束は、３０００ｌｍ、殊に３２００ｌｍより大きくなり得、光密度は２５０ｌｍ／ｍｍ２よりも大きくなり得、例えば２９０ｌｍ／ｍｍ２になる。動作時に生じる熱はここで特に効果的に、分断された第２の担体と第１の担体の組み合わせによって排出される。しかも、熱的な交番応力によって、照明デバイス１００が損傷を受けることはない。
【００５７】
図面２Ａ〜２Ｆの概略図は、照明デバイス１００を製造するための、本願に記載された方法の実施例のステップを示している。
【００５８】
図２Ａに関連して、ステップをより詳細に説明する。ここでは第１の担体が提供される。第１の担体１の上面には、構造化された層６が被着される。この構造化された接続層６は、相互に分断された領域に構造化されている。これは第２の担体の、第１の担体の方を向いている下面での、第２の構造化された金属層７と合同である（図２Ｂを参照）。構造化された金属層並びに構造化された接続層が同様に構造化されていることによって、第２の担体２を第１の担体１上に被着する際および構造化された接続層６によって固定する際に、第１の担体１上での第２の担体２の自己アライメントが行われる。
【００５９】
第２の担体は、第１の担体と反対側の上面に、第１の構造化された金属層４を有している。これは部分的に、構造化された接続層６および第２の構造化された金属層７と合同である。殊に第１の構造化された金属層４の領域の間の溝５は、構造化された接続層６の領域の間ないしは第２の構造化された金属層７の領域の間の溝５と相応する。
【００６０】
すなわち、殊に第２の担体２の部分２１〜２８の間の後の分断領域の領域において、溝５が、全ての構造化された層内に存在する。
【００６１】
図２Ｃには、第２の担体２の長さ１、幅ｂに対する値の例が示されている。さらに溝５の幅並びに第２の担体の隣接する部分の間の間隔Ａ１に対する、値の例が示されている。殊に、第１の構造化された金属層４の隣接する領域間の溝５の幅は、１００μｍ以下である。溝５に沿って延在する、分断領域５１は、幅Ａ１を有している。これは、第２の担体２の部分２１〜２８の間の後の間隔を定め、溝５の幅ｄよりも小さい。
【００６２】
図２Ｄでは、第２の担体２を、領域２１〜２８に分断した後の構造が示されている。すなわち、第２の担体２の部分２１〜２８の間に、溝５に沿って、第１の構造化された金属層４の領域の間に分断領域５１が配置されている。これは幅Ａ１を有している。第２の担体２の分断はここで、上述のように行われる。
【００６３】
第２の担体２の部分２１〜２８はここで、構造化された接続層６、すなわち殊に、はんだ接続によって、第１の担体１と接続されている。これによって、特に熱伝導抵抗の少ない接続が生じる。銅の熱膨張係数は、ＡｌＮの熱膨張係数の三倍を超える。熱膨張係数のこのような大きい差は、相互に極めて近くに配置されている第２の担体２を比較的小さい部分２に分断することによって補償される。
【００６４】
後続のステップ、図２Ｅでは、発光ダイオードチップ３が、第２の担体２の、第１の担体１と反対側の上面に固定される。発光ダイオードチップ相互の接続は、ここで、適切な取り付けおよび／または接続ワイヤー８を使った接続によって行われる。ここで、発光ダイオードチップ３同士は直列に接続されており、部分２６、２７、２８は、自身に明確に割り当てられた、構造化された金属層４の領域とともに、それぞれ２つの発光ダイオードチップを、直列接続する。これらの発光ダイオードチップ２は、それぞれ、異なる配向で、第２の担体２に固定されている。
【００６５】
後続のステップ（図２Ｆを参照）では、電気的な接続手段１０が、発光ダイオードチップ３と導電性に接続されている。これは例えば、接続ワイヤー８を介して行われる。この接続ワイヤーは、電気的な接続手段１０および第１の構造化された金属層４と接続されている。
【００６６】
図２Ｆに示されているように、発光ダイオードチップ３はそれぞれ、変換器１２を備えた層を含んでいる。この変換器は、発光ダイオードチップ２を被着する前または後に、第２の担体上に取り付けられる。発光ダイオードチップ２は、これによって、例えば、白色光を形成することができる。
【００６７】
図３に関連して、概略的な斜視図に基づいて、ここに記載されている、照明デバイス１００の装置をより詳細に説明する。この装置は４つの照明デバイス１００を含んでいる。ここでは、第２の担体２はそれぞれ、第１の担体のコーナーに配置されている。個々の照明デバイス１００は、次のように相互にアライメントされている。すなわち、４つの照明デバイス１００の全ての発光ダイオードチップの共通の照明面９が生じるようにアライメントされている。ここには、発光ダイオードチップ３が行と列で配置されている。このアライメントはここで、第１の担体１内の開口部１１によって行われる。
【００６８】
図示された幾何学的形状の他に、このようにして、例えば、発光ダイオードチップの長い線を相互に列にすることができる。照明デバイス１００の発光ダイオードチップ３はこの場合には、別の照明デバイス１００の発光ダイオードチップ３に依存せずに動作される。
【００６９】
すなわち、ここに記載されている照明デバイスは、特に容易に、照明面９の拡大縮小も可能にする。従って、例えば、照明デバイス１００の線形配置が示される。これは、相互に接近して列にされた発光ダイオードチップの個々の行から成る。
【００７０】
本願に記載された照明デバイス１００並びに本願に記載された装置１００は、まとめて、殊に、以下の利点の少なくとも１つを特徴とする：
１）良好な熱伝導性。接合面にはんだ付けまたは焼結方法を使用することによって、極めて良好な熱伝達が実現される。良好な熱伝導性を有する材料を使用することによって、熱がより良好に排出される。
【００７１】
２）電位の無いヒートシンク。セラミック担体を使用することによって、電位の無いヒートシンクが保証される。
【００７２】
３）セラミック担体の金属化を構造的に実施することができる。これによって、多チップモジュールの構造時に、直列接続、並列接続またはマトリクス接続が実現される。
【００７３】
４）セラミック担体を小さいアイランドに分断することによって、低い熱膨張係数（半導体）から、高い熱膨張係数（金属）への移行が、小さい構造によって実現される。整合されてない熱膨張係数が原因で生じる力は、処理された材料のクリチカルな負荷閾値を超えない。第１の担体上への取り付け後に、第２の担体が、小さいアイランドに分けられることによって、温度変化負荷に対して極めて頑強な基板が形成される。
【００７４】
５）コスト。本発明に記載した基板に対して、すなわち、第１の担体と第２の担体の組み合わせに対して、商業上、比較的低コストに使用可能な材料およびプロセスが使用される。これによって、比較的低いコストで、頑強な基板材料が得られる。
【００７５】
本発明は、この実施例に基づく記載に制限されない。むしろ、本発明は、新たな特徴並びに特徴の各組み合わせを含む。これは、この特徴またはこの組み合わせ自体が、特許請求の範囲または実施例に明記されていない場合でも、殊に、特許請求の範囲内の特徴の各組み合わせを含む。
【図１】
0005901752.tif 000002
【図２Ａ】
0005901752.tif 000003
【図２Ｂ】
0005901752.tif 000004
【図２Ｃ】
0005901752.tif 000005
【図２Ｄ】
0005901752.tif 000006
【図２Ｅ】
0005901752.tif 000007
【図２Ｆ】
0005901752.tif 000008
【図３】
0005901752.tif 000009